(57)【要約】      （修正有）【課題】持ち運びやすく、家庭に適し、コストがより安く、空間をより節約できる組立式ビールサーバーを提供する。【解決手段】組立式ビールサーバーは、ビールサーバー本体は本体下部１と本体上部２とを含み、本体上部には泡送出ノズルと液体送出ノズルが設けられ、本体上部は第１上部と第２上部とを含み、本体下部と第１上部には第１収容腔が設けられ、第２上部にはエアポンプモジュールと、泡分流モジュールと、スイッチ制御モジュールと、取外し可能な簡易泡サーバー本体とが設けられ、エアポンプモジュールのエアポンプ３０は、第１収容腔に気体を供給し、泡分流モジュールの吸気口４０は第１収容腔に連通し、簡易泡サーバー本体の液体注入口は第１収容腔に連通し、液体送出口は泡分流モジュールの液体注入口４１に連通し、泡分流モジュールの液体送出口と泡送出口は、液体送出ノズルと泡送出ノズルにそれぞれ連通している。【選択図】図４
0003205761.tif 000002
【実用新案登録請求の範囲】
【請求項１】
ビールサーバー本体を含む組立式ビールサーバーであって、
前記ビールサーバー本体は、取り外し可能に接続された本体下部と本体上部とを含み、前記本体上部には、泡送出ノズルと液体送出ノズルが設けられ、前記本体上部は、第１上部と第２上部とを含み、前記本体下部と第１上部には、ビールを収容するための第１収容腔が設けられ、前記第２上部には、エアポンプモジュールと、エアポンプモジュールに設けられた泡分流モジュールと、泡分流モジュールに設けられたスイッチ制御モジュールと、取外し可能な簡易泡サーバー本体とが設けられ、前記エアポンプモジュールのエアポンプは、気管を介して前記第１収容腔に気体を供給し、前記泡分流モジュールの吸気口は、気管を介して前記第１収容腔に連通し、前記取外し可能な簡易泡サーバー本体の液体注入口は、前記第１収容腔に連通し、前記取外し可能な簡易泡サーバー本体の液体送出口は、前記泡分流モジュールの液体注入口に連通し、前記泡分流モジュールの液体送出口と泡送出口は、前記液体送出ノズルと前記泡送出ノズルにそれぞれ連通し、前記スイッチ制御モジュールの第１電子スイッチと第２電子スイッチは、前記取外し可能な簡易泡サーバー本体のサーキットボード、電池ボックス、超音波振動子及び前記エアポンプモジュールのエアポンプと電気的に接続され、前記スイッチ制御モジュールを調整することによってビールの送出又は泡の送出を実現することを特徴とする組立式ビールサーバー。
【請求項２】
前記取外し可能な簡易泡サーバー本体は、台座と台座底部に設けられた取外し可能なビール送出部材とを含み、前記台座の内部には、振動ユニットとビールの収容容器を固定するための固定ユニットが設けられ、前記ビール送出部材は、ビール送出管座とビール送出管座の底部に包まれたシリコーンパッキンとを含み、前記ビール送出管座のビール送出通路には、振動ユニットと協働して泡を発生させるための突起が設けられ、前記台座の側面には、前記ビール送出通路を通過させるための第１貫通孔が設けられていることを特徴とする請求項１に記載の組立式ビールサーバー。
【請求項３】
前記台座は、第１台座及び第１台座と対応して第１収容空間を構成する台座蓋を含み、前記振動ユニット及び前記固定ユニットは、前記第１収容空間内に設けられていることを特徴とする請求項２に記載の組立式ビールサーバー。
【請求項４】
前記泡分流モジュールは、軟質ゴム蓋と、少なくとも一つの平坦底部を有する第２台座とを含み、前記泡分流モジュールには、前記平坦底部の周辺に沿って前記軟質ゴム蓋の裏面と同じ側に向かって密閉された台座フランジが延びており、前記台座フランジ及び平坦底部は液体仮貯蔵腔を構成し、前記泡分流モジュールの液体注入口、液体送出口及び泡送出口は、前記平坦底部に設けられ、且つ前記液体仮貯蔵腔に連通し、前記第２台座に面する前記軟質ゴム蓋の表面には、前記台座フランジに対応する軟質ゴム蓋凹溝が設けられ、前記軟質ゴム蓋は、前記軟質ゴム蓋凹溝と前記台座フランジを介して前記第２台座を蓋することを特徴とする請求項１〜請求項３のいずれか一項に記載の組立式ビールサーバー。
【請求項５】
前記泡分流モジュールの液体送出口と泡送出口には、前記泡分流モジュールの液体送出口と泡送出口との開閉を制御するための第２ボタンと第１ボタンがそれぞれ設けられ、前記スイッチ制御モジュールは、レバー及びレバーで制御する第１スイッチ柱、第２スイッチ柱、第１電子スイッチ及び第２電子スイッチを含み、前記第１スイッチ柱の一端は前記レバーに制御され、他端は排気スイッチ、第２ボタン及び第１電子スイッチを制御するためのものであり、前記第２スイッチ柱の一端は前記レバーに制御され、他端は排気スイッチ、第１ボタンの第２電子スイッチを制御するためのものであり、前記レバーは、第１スイッチ柱と第２スイッチ柱の制御を通じて第１ボタンと第２ボタンの開閉を制御し、前記第１電子スイッチと第２電子スイッチは、前記取外し可能な簡易泡サーバー本体のサーキットボードを制御し、前記エアポンプモジュールのエアポンプと前記超音波振動子の開閉を制御するためのものであることを特徴とする請求項１〜請求項３のいずれか一項に記載の組立式ビールサーバー。
【請求項６】
前記エアポンプモジュールは、前記第２上部に設けられた第１支持ベースを更に含み、前記第１支持ベースには、二つの第２貫通孔が設けられ、前記泡分流モジュールの液体送出口と泡送出口は、それぞれ二つの第２貫通孔を介して前記液体送出ノズルと泡送出ノズルと連通し、前記エアポンプは、前記第１支持ベースの下方に固定され、前記取外し可能な簡易泡サーバー本体は、前記第１支持ベースに設けられていることを特徴とする請求項１〜請求項３のいずれか一項に記載の組立式ビールサーバー。
【請求項７】
前記組立式ビールサーバーは、前記本体上部の第２上部を覆うトップカバーを更に含むことを特徴とする請求項１〜３のいずれか一項に記載の組立式ビールサーバー。
【請求項８】
前記トップカバーと第２上部とは係合によって接続されていることを特徴とする請求項７に記載の組立式ビールサーバー。
【請求項９】
前記組立式ビールサーバーは、前記本体下部に設けられた台座を更に含み、前記台座は、前記泡送出ノズル及び液体送出ノズルと同じ側に設けられていることを特徴とする請求項１〜３のいずれか一項に記載の組立式ビールサーバー。
【考案の詳細な説明】
【技術分野】
【０００１】
本考案は、ビール加工設備の領域に関し、特に組立式ビールサーバーに関する。
【背景技術】
【０００２】
生活水準が徐々に高まるにつれて、現在の人々は楽しみを求めると同時に、健康を意識している。泡立てビールはきめ細かく、柔らかく、さわやかな口当りで、最大限にホップと麦芽の濃い香りを放つことができ、発泡蛋白の濃度を増加し、徹底的にビールの渋い味を取り除き、口腔粘膜と胃腸に対するアルコールの刺激を低減できる。泡立てビールを飲むと渇きをいやし、より栄養があり、より健康的である。そのため、泡立てビールは、人々に支持されて、愛顧されている。ビールサーバーは、超音波振動子を利用してビールを振動させることで、きめ細かくて豊かな泡を含んだビールを加工する機械である。従来のビールサーバーは、大体２種類に分けられ、一つは体積が比較的に大きく、家庭あるいはバーに使用される固定式ビールサーバーであり、もう一つは体積が比較的に小さく、持ち運びに適した携帯式ビールサーバーである。この２種類のビールサーバーは、ビールを泡が豊富できめ細かい泡立てビールに加工することができるが、使用する過程において、依然として以下の欠陥があった。固定式ビールサーバーについて、その体積が比較的に大きいため、組立や持ち運びに非常に不便であった。そのため、家庭あるいはバーに固定して使用することに限定され、応用範囲は比較的に狭い。携帯式ビールサーバーは、持ち運びに非常に便利だが、家庭あるいはバーに使用するには体積が小さく、人々の需要を満足させることができないため不便であった。従って、家庭での使用と屋外での利便性を満たすために、多くの家庭では、固定式ビールサーバーと携帯式ビールサーバーを同時に購入している。しかし、こうするとお金がもっとかかり、特にあまりビールを飲まない家庭にとって同時に２種類の機械を買う必要はなかった。また、使わない時、２種類のビールサーバーが家庭での占有面積が大きくなり、空間を無駄に使ってしまう。
【考案の概要】
【考案が解決しようとする課題】
【０００３】
本考案は、上記のような問題を解決するためになされたものであって、その目的は、持ち運びやすく、家庭に適し、コストがより安く、空間をより節約できる組立式ビールサーバーを提供することにある。
【課題を解決するための手段】
【０００４】
本考案は、ビールサーバー本体を含む組立式ビールサーバーであって、前記ビールサーバー本体は、取り外し可能に接続された本体下部と本体上部とを含み、前記本体上部には、泡送出ノズルと液体送出ノズルが設けられ、前記本体上部は、第１上部と第２上部とを含み、前記本体下部と第１上部には、ビールを収容するための第１収容腔が設けられ、前記第２上部には、エアポンプモジュールと、エアポンプモジュールに設けられた泡分流モジュールと、泡分流モジュールに設けられたスイッチ制御モジュールと、取外し可能な簡易泡サーバー本体とが設けられ、前記エアポンプモジュールのエアポンプは、気管を介して前記第１収容腔に気体を供給し、前記泡分流モジュールの吸気口は、気管を介して前記第１収容腔に連通し、前記取外し可能な簡易泡サーバーの液体注入口は、前記第１収容腔に連通し、前記取外し可能な簡易泡サーバーの液体送出口は、前記泡分流モジュールの液体注入口に連通し、前記泡分流モジュールの液体送出口と泡送出口は、前記液体送出ノズルと前記泡送出ノズルにそれぞれ連通し、前記スイッチ制御モジュールの第１電子スイッチと第２電子スイッチは、前記取外し可能な簡易泡サーバーのサーキットボード、電池ボックス、超音波振動子及び前記エアポンプモジュールのエアポンプと電気的に接続され、前記スイッチ制御モジュールを調整することによってビールの送出又は泡の送出を実現する。
【０００５】
本考案の改善として、前記取外し可能な簡易泡サーバーは、台座と台座底部に設けられた取外し可能なビール送出部材とを含み、前記台座の内部には、振動ユニットとビールの収容容器を固定するための固定ユニットが設けられ、前記ビール送出部材は、ビール送出管座とビール送出管座の底部に包まれたシリコーンパッキンとを含み、前記ビール送出管座のビール送出通路には、振動ユニットと協働して泡を発生させるための突起が設けられ、前記台座の側面には、前記ビール送出通路を通過させるための第１貫通孔が設けられている。
【０００６】
本考案の改善として、前記台座は、第１台座及び第１台座と対応して第１収容空間を構成する台座蓋を含み、前記振動ユニット及び前記固定ユニットは、前記第１収容空間内に設けられている。
【０００７】
本考案の改善として、前記泡分流モジュールは、軟質ゴム蓋と、少なくとも一つの平坦底部を有する第２台座とを含み、前記泡分流モジュールには、前記平坦底部の周辺に沿って前記軟質ゴム蓋の裏面と同じ側に向かって閉鎖式の台座フランジが延びており、前記台座フランジ及び平坦底部は液体仮貯蔵腔を構成し、前記泡分流モジュールの液体注入口、液体送出口及び泡送出口は、前記平坦底部に設けられ、且つ前記液体仮貯蔵腔に連通し、前記台座に面する前記軟質ゴム蓋の表面には、前記台座フランジに対応する軟質ゴム蓋凹溝が設けられ、前記軟質ゴム蓋は前記軟質ゴム蓋凹溝と前記台座フランジを介して前記第２台座を蓋する。
【０００８】
本考案の改善として、前記泡分流モジュールの液体送出口と泡送出口には、前記泡分流モジュールの液体送出口と泡送出口との開閉を制御するための第２ボタンと第１ボタンがそれぞれ設けられ、前記スイッチ制御モジュールは、レバー及びレバーで制御する第１スイッチ柱、第２スイッチ柱、第１電子スイッチ及び第２電子スイッチを含み、前記第１スイッチ柱の一端は前記レバーに制御され、他端は排気スイッチ、第２ボタン及び第１電子スイッチを制御するためのものであり、前記第２スイッチ柱の一端は前記レバーに制御され、他端は排気スイッチ、第１ボタンの第２電子スイッチを制御するためのものであり、前記レバーは、第１スイッチ柱と第２スイッチ柱の制御を通じて第１ボタンと第２ボタンの開閉を制御し、前記第１電子スイッチと第２電子スイッチは、前記取外し可能な簡易泡サーバー本体のサーキットボードを制御し、前記エアポンプモジュールのエアポンプと前記超音波振動子の開閉を制御するためのものである。
【０００９】
本考案の改善として、前記エアポンプモジュールは、前記第２上部に設けられた第１支持ベースを更に含み、前記第１支持ベースには、二つの第２貫通孔が設けられ、前記泡分流モジュールの液体送出口と泡送出口は、それぞれ二つの第２貫通孔を介して前記液体送出ノズルと泡送出ノズルと連通し、前記エアポンプは、前記第１支持ベースの下方に固定され、前記取外し可能な簡易泡サーバー本体は、前記第１支持ベースに設けられている。
【００１０】
本考案の改善として、前記組立式ビールサーバーは、前記本体上部の第２上部を覆うトップカバーを更に含む。
本考案の改善として、前記トップカバーと第２上部は係合によって接続されている。
【００１１】
本考案の改善として、前記組立式ビールサーバーは、前記本体下部に設けられた台座を更に含み、前記台座は、前記泡送出ノズル及び液体送出ノズルと同じ側に設けられている。
【考案の効果】
【００１２】
本考案のビールサーバー本体は、取り外し可能に接続された本体下部と本体上部を含み、前記本体上部には、泡送出ノズルと液体送出ノズルが設けられ、前記本体上部は、第１上部と第２上部とを含み、前記本体下部と第１上部には、ビールを収容するための第１収容腔が設けられ前記第２上部には、エアポンプモジュールと、エアポンプモジュールに設けられた泡分流モジュールと、泡分流モジュールに設けられたスイッチ制御モジュールと、取外し可能な簡易泡サーバー本体とが設けられている。本考案を使う時、取り外し可能な簡易泡サーバー本体を取り外し可能であり、外出する時に持ち運び、個別に使用することができる。家で使用する時、取り外し可能な簡易泡サーバー本体をビールサーバー本体に取り付け、スイッチ制御ジュールによって使用する。本考案の取り外しと組立てが便利で、体積が小さくて、消費者が家で固定して使用することも、また外出する時携帯することも満たすことができる。使用時は非常に便利で、コストも安い。そのため、本考案は、外出する際の携帯に適し、また家での使用にも適し、コストが更に低く、空間を節約する利点を有している。
【図面の簡単な説明】
【００１３】
【図１】本考案における実施例の立体分解構造の模式図である。
【図２】図１の正面図である。
【図３】図１の側面図である。
【図４】図２のＡ−Ａ線の断面図である。
【図５】図３のＢ−Ｂ線の断面図である。
【図６】本考案における取外し可能な簡易泡サーバー本体の立体分解構造の模式図である。
【図７】図６の完全に組み立て後の背面図である。
【図８】図７のＣ−Ｃ線の断面図である。
【図９】本考案における泡分流モジュールの立体分解構造の模式図である。
【図１０】図９の完全に組み立て後の平面図である。
【図１１】図１０のＤ−Ｄ線の断面図である。
【図１２】本考案における取外し可能な簡易泡サーバー本体を組み立てるときの模式図である。
【図１３】本考案においてビール収容容器をセットした時の模式図である。
【図１４】本考案の使用する前の模式図である。
【図１５】本考案のビールを送出する時の状態を示す模式図である。
【図１６】本考案の泡を送出する時の状態を示す模式図である。
【図１７】本考案において取外し可能な簡易泡サーバー本体を個別に使用する時の模式図である。
【考案を実施するための形態】
【００１４】
本考案の説明の中で、理解が必要なのは、用語「中心」、「上」、「下」、「前」、「後」、「左」、「右」などが指す方向や位置関係は図面に基づく方向や位置関係であり、単に本考案の説明及び説明を簡略化するためのものであって、装置や部材が必ず特定の方向、特定の方向の構造及び操作を有することを指示または示唆するものではない。このため、本考案を限定するものと理解すべきではない。また、「第１」、「第２」は、記述目的のみ使用され、相対的な重要性を指示または示唆すると理解すべきではない。
【００１５】
本考案の説明において、説明が必要なのは、その他の明確な規定と限定がない限り、用語「組み立てる」、「接続」、「つながる」は、広義に解釈すべきである。例えば、固定して接続してもよく、解体して接続または一体に接続してもよく、機械的に接続してもよく、電気的に接続してもよく、直接に接続してもよく、中間媒介を介して間接的に接続してもよく、二つのユニットの内部が繋がってもよい。当業者にとって、状況に応じて上述の用語が本考案における具体的な意味を理解できる。また、本考案の説明において、ほかの説明がない限り、「複数」、「若干」は、二つまたは二個以上を意味する。
【００１６】
図１〜図５を参照して組立式ビールサーバーの一つの実施例を説明する。組立泡型ビール機は、ビールサーバー本体１００を含み、このビールサーバー本体１００は、取外し可能に接続された本体下部１、本体上部２及び本体上部２を覆うトップカバー９１を含み、本体上部２には、泡送出ノズル２３と液体送出ノズル２４が設けられている。本体上部２は、第１上部２１と第２上部２２を含み、トップカバー９１は、第２上部２２に設けられ、本体下部１と第１上部２１には、ビールを収容するための第１収容腔１０が設けられている。第２上部２２には、エアポンプモジュール３と、エアポンプモジュール３に設けられた泡分流モジュール４、泡分流モジュール４に設けられたスイッチ制御モジュール６及び取外し可能な簡易泡サーバー本体５が設けられている。エアポンプモジュール３のエアポンプ３０は、気管７０を介して第１収容腔１０に空気を供給し、泡分流モジュール４の吸気口４０は、気管７０を介して第１収容腔１０に連通し、取外し可能な簡易泡サーバー本体５の液体注入口５１は、第１収容腔１０に連通し、取外し可能な簡易泡サーバー本体５の液体送出口５２は、泡分流モジュール４の液体注入口４１に連通し、泡分流モジュール４の液体送出口４２及び泡送出口４３は、それぞれ液体送出ノズル２４及び泡送出ノズル２３にそれぞれ連通している。スイッチ制御モジュール６の第１電子スイッチ６３と第２電子スイッチ６４は、取外し可能な簡易泡サーバー本体５のサーキットボード５５１、電池ボックス５５３、超音波振動子５５２及びエアポンプモジュール３のエアポンプ３０と電気的に接続され、スイッチ制御モジュール６を調整することによってビールの送出あるいは泡の送出を実現する。
【００１７】
図６〜図８に示すように、本考案では、取外し可能な簡易泡サーバー本体５は、台座５３と、台座底部５０に設けられた取外し可能なビール送出部材５４とを含み、台座５３の内部には、振動ユニット５５と固定ユニット５６が設けられている。ビール送出部材５４は、ビール送出管座５４１と、ビール送出管座の底部５４０に包まれたシリコーンパッキン５４２とを含み、ビール送出管座５４１のビール送出通路５４３には、振動ユニット５５と協働して泡を発生させるための突起５４４が設けられ、台座５３の側面には、ビール送出通路５４３を通過させるための第１貫通孔５３０が設けられている。本考案において、台座５３は、第１台座５３１及び第１台座５３１と対応して第１収容空間７１を構成する台座蓋５３２を含み、振動ユニット５５と固定ユニット５６は、第１収容空間７１内に設けられている。ビール送出部材５４は、ビール送出管座５４１と、ビール送出管座の底部５４０に包まれたシリコーンパッキン５４２とを含み、ビール送出管座の底部５４０は、シリコーンパッキン５４２の寸法と同じである第２収容空間（図示せず）に設けられ、このようにしてシリコーンパッキン５４２は、ビール送出管座の底部５４０内に包まれ、ビール送出管座５４１がシリコーンパッキン５４２に包まれることによりビール送出部材５４の全体を形成する。ビール送出管座５４１の内部には、ビール送出通路５４３に連通している第１液体仮貯蔵腔５８が設けれ、第１液体仮貯蔵腔５８は、収容容器９０に連通し、ビール送出管座５４１のビール送出通路５４３には、振動ユニット５５と協働して泡を発生させるための突起５４４が設けられ、第１台座５３１の底部には、ビール送出部材５４を収容するための第三収容空間（図示せず）が設けられ、第三収容空間は、第１貫通孔５３０に連通している。ビール送出部材５４と台座５３は、取り外し可能に接続されている。本考案を使用する前に、まずビール送出部材５４を台座底部５０に取り付け、つまり、ビール送出部材５４を第三収容空間内に取り付けて、ビール送出通路５４３を第１貫通孔５３０に挿入する。ビール送出部材５４をより簡単に取り外し、取り付けるために、ビール送出部材５４は、台座底部５０に取り外し可能に設けられている。このようにすると、ビール送出部材５４は、簡単に取り外し、取り付けを行うことができる。そして、ビール送出部材５４は、ビール送出管座５４１とシリコーンパッキン５４２とを含み、ビール送出管座５４１には、ビール送出通路５４３が設けられており、これによりビール送出通路５４３を洗浄することができる。従来技術に比べて、本考案は、簡単に取り外し、取り付けることができ、洗浄がより容易にできるため、使用するにあたってより衛生的である。また、ビール送出部材５４と収容容器９０の接触面には、シリコーンパッキン５４２が設けられ、シリコーンパッキン５４２は、一定の柔軟性、弾性及びより優れた密封性を有している。従って、収容容器９０は、ビール送出部材５４に密着できるため、ビールを注ぐ際、収容容器９０内のビールがこぼれにくくなる。従来技術に比べて、使用者の両手を汚さなくて済む。
【００１８】
本考案において、振動ユニット５５は、スイッチ５５０、サーキットボード５５１、超音波振動子５５２及び電力を提供する電池ボックス５５３を含み、超音波振動子５５２は、突起５４４の真上に設けられ、スイッチ５５０、サーキットボード５５１、超音波振動子５５２及び電池ボックス５５３は、電気的に接続されている。本実施形態では、電池ボックス５５３は、電池パックであり、台座５３には、電池ボックスを収容するための電池台座５５４が設けられ、サーキットボード５５１、超音波振動子５５２及び電池ボックス５５３は電気的に接続されている。サーキットボード５５１は、超音波振動子５５２に信号を送信する。スイッチ５５０は、サーキットボード５５１に設けられている。台座５３には、スイッチ５５０に対応する第五ボタン５５００が設けられ、第五ボタン５５００が押されると、サーキットボード５５１は信号を受信し、回路がオンとなり、サーキットボード５５１は超音波振動子５５２に信号を送信し、超音波振動子５５２は振動して、突起５５４に当接する。ビールを注ぐ際に、ビール送出通路５４３を流れるビールは、振動を受けて豊かな泡が立ち、このようにしてきめ細かい泡立てビールを送出することができる。使用者が第五ボタン５５００を離すと、サーキットボード５５１は、動作を停止し、これにより超音波振動子５５２が振動を停止され、泡が立たなくなる。
【００１９】
図９〜図１１に示すように、泡分流モジュール４は軟質ゴム蓋４７と少なくとも一つの平坦底部４４１を有する第２台座４４を含み、平坦底部４４１の周辺に沿って軟質ゴム蓋４７の裏面と同じ側に向かって密閉された台座フランジ４４２が伸びており、この台座フランジ４４２と平坦底部４４１は、液体仮貯蔵腔４５を構成し、泡分流モジュール４の液体注入口４１、液体送出口４２及び泡送出口４３は、平坦底部４４１に設けられ、且つ液体仮貯蔵腔４５に連通している。第２台座４４に対する軟質ゴム蓋４７の表面には、台座フランジ４４２にフィットする軟質ゴム蓋凹溝４６が設けられ、軟質ゴム蓋４７は、軟質ゴム蓋凹溝４６と台座フランジ４４２を介して第２台座４４を蓋する。そのため、本考案は、構造が簡単で、洗浄しやすい利点がある。軟質ゴム蓋４７における泡分流モジュール４の液体送出口４２に対応する位置には、泡分流モジュール４の液体送出口４２の開閉を制御するための第２ボタン４２１が設けられ、軟質ゴム蓋４７における泡分流モジュール４の泡送出口４３に対応する位置には、泡分流モジュール４の泡送出口４３の開閉を制御するための第１ボタン４３１が設けられている。第１ボタン４３１と第２ボタン４２１は、第１ボタン４３１あるいは第２ボタン４２１が外力によって押されると、第１ボタン４３１が泡分流モジュール４の泡送出口４３を塞ぎあるいは第２ボタン４２１が泡分流モジュール４の液体出口４２を塞ぐように設計される。外力が解除されると、第１ボタン４３１と第２ボタン４２１は元に戻る。
【００２０】
本考案を使用する際に、泡分流モジュール４の状態は以下の通りである。即ち、軟質ゴム蓋４７は、第２台座４４を蓋することによって密封された全体を構成し、液体は泡分流モジュール４の液体注入口４１を介して液体仮貯蔵腔４５内に流れ、液体は、泡分流モジュール４の液体送出口４２及び／あるいは泡分流モジュール４の泡送出口４３から他の装置に流れる。外力が加わることによって軟質ゴム蓋４７における第１ボタン４３１が押されると、第１ボタン４３１が泡分流モジュール４の泡送出口４３を塞ぎ、液体は泡分流モジュール４の液体送出口４２から他の装置に流れる。同様に、外力が加わることによって軟質ゴム蓋４７における第２ボタン４２１が押されると、第２ボタン４２１が泡分流モジュール４の液体出口４２塞ぎ、液体は泡分流モジュール４の泡出口４３から他の装置に流れる。以上の方法により液体を分流する効果が得られる。
【００２１】
洗浄が必要のとき、軟質ゴム蓋４７を第２底座４４から取り外して、第２台座４４と軟質ゴム蓋４７をそれぞれに水の中に入れて、布やその他のブラシなどで洗浄を行う。このため、洗浄が非常に便利である。
【００２２】
図４〜図５に示すように、泡分流モジュール４の液体送出口４２と泡送出口４３には泡分流モジュール４の液体送出口４２と泡送出口４３の開閉を制御するための第２ボタン４２１と第１ボタン４３１が設けられている。スイッチ制御モジュール６は、レバー６０及びレバー６０で制御する第１スイッチ柱６１、第２スイッチ柱６２、第１電子スイッチ６３と第２電子スイッチ６４を含み、レバー６０にレバーハンドル６０１が設けられ、第１スイッチ柱６１の一端はレバー６０によって制御され、他端は排気スイッチ８１、第２ボタン４２１及び第１電子スイッチ６３を制御する。第２スイッチ柱６２の一端は、レバー６０によって制御され、他端は排気スイッチ８１、第１ボタン４３１及び第２電子スイッチ６４を制御する。レバー６０は、第１スイッチ柱６１と第２スイッチ柱６２を制御することによって第１ボタン４３１と第２ボタン４２１の開閉を制御し、第１電子スイッチ６３と第２電子スイッチ６４は両方とも取外し可能な簡易泡サーバー本体５のサーキットボード５５１を制御し、エアポンプモジュール３のエアポンプと超音波振動子５５２の開閉を制御するものである。排気スイッチ８１は、第１スイッチ柱６１あるいは第２スイッチ柱６２の制御によって開閉する。
【００２３】
本考案では、液体が泡分流モジュール４内に溜まることや漏れることを防止するために、漏れを防止するための漏れ防止モジュールを含む。この漏れ防止モジュールは、泡分流モジュール４の吸気口４０の内側に設けられたバルブリセットスプリング８０、バルブリセットスプリング８０と当接する排気スイッチ８１を含み、バルブリセットスプリング８０と排気スイッチ８１の間には、排気シリカゲル８２が設けられている。排気シリカゲル８２は、排気スイッチ８１の下端に包まれ、排気スイッチ８１はスイッチ制御モジュール６の制御によって開閉する。つまり、第１電子スイッチ６３及び第２スイッチ柱６２によって開閉を実現する。泡分流モジュール４の吸気口４０には、気体仮貯蔵腔８３がさらに設けられ、気体仮貯蔵腔８３と泡分流モジュール４の泡送出口４３は、第２逆止弁８４を介して連通している。気体仮貯蔵腔８３と泡分流モジュール４の液体送出口４２は、第１逆止弁８５を介して連通している。気体仮貯蔵腔８３の中には、排気口８６がさらに設けられている。
【００２４】
本考案の中で（図１を参照）、エアポンプモジュール３は、第２上部２２に設けられた第１支持ベース３１を含む。第１支持ベース３１には、二つの第２貫通孔３１１が設けられ、泡分流モジュール４の液体送出口４２と泡送出口４３は、それぞれ二つの第２貫通孔３１１を介して液体送出ノズル２４と泡送出ノズル２３に連通し、エアポンプ３０は、第１支持ベース３１の下方に固定され、取外し可能な簡易泡サーバー本体５は、第１支持ベース３１に設けられている。
【００２５】
図１２〜図１４に示すように、トップカバー９１と第２上部２２は係合によって接続されている。
図１２〜図１４に示すように、本体下部１に設けられた台座９８をさらに含む。台座９８は、泡送出ノズル２３と液体送出ノズル２４と同じ側に設けられた。台座９８は、ビールを注ぐ際にカップを置くことができる。
【００２６】
以下、図１２〜図１６に従って、本考案の具体的な使用方法を詳しく説明する。本考案を使用する前に、図１２に示すように、まず取外し可能な簡易泡サーバー本体５を第２上部２２に挿入し、第１サイドバックル９３と第２サイドバックル９４を介してトップカバー９１を第２上部２２の上方に蓋する。そして、図１３に示すように、本体上部２とトップカバー９１を取り外し、第１収容腔１０に収容容器９０を装着する。収容容器９０は、缶ビールである。次に、図１４に示すように、本体下部１と本体上部２を取り付け、この時レバーハンドル６０１は中央位置に位置する。使用者はビールを注ぐ時、レバーハンドル６０１を図１５に示した方向に動かし、レバー６０は、第２スイッチ柱６２を先に押し、第２スイッチ柱６２は、排気スイッチ８１をオフした後に、第１ボタン４３１と第２電子スイッチ６４を押す。第１ボタン４３１が押されると、泡分流モジュール４の泡送出口４３が塞がれ、第２電子スイッチ６４は取外し可能な簡易泡サーバー本体５のサーキットボード５５１を制御し、サーキットボード５５１はエアポンプ３０を制御する。これにより、エアポンプ３０は、第１収容腔１０に空気を供給する。収容容器９０内のビールは、圧力で押し出され、取外し可能な簡易泡サーバー本体５を経由して泡分流モジュール４に流れ、最後にビールの泡は泡分流モジュール４の液体送出口４２から出て、液体送出ノズル２４を経由してビール機の外部に流れる。使用者は、カップを台座９８に置くだけで済む。次に、レバーハンドル６０１を離すと、レバーハンドル６０１は、レバーリセットスプリング６０１０によって元の状態に戻り、第２スイッチ柱６２は、先に上昇し、即ち排気リセットスプリング８０により排気スイッチ８１を開け、収容容器９０内の気体の一部分は排気口８６から排出され、ほかの部分は気管７０を介して気体仮貯蔵腔に戻され、その後第１逆止弁８５と第２逆止弁８４から出て、泡分流モジュール４の液体送出口４２に残った液体を吹き出す。これにより、液体が漏れる現象が防止できる。そして、第１ボタン４３１と第２電子スイッチ６４は、元の状態に戻され、エアポンプ３０と超音波振動子５５２が停止される。使用者がビールの泡が必要のとき、図１６に示した方向のようにレバーハンドル６０１を動かし、レバー６０は、第１スイッチ柱６１を押し、第１スイッチ柱６１は、排気スイッチ８１をオフした後に第２ボタン４２１と第１電子スイッチ６３を押す。第２ボタン４２１が押されると、泡分流モジュール４の液体送出口４２が塞がれ、第１電子スイッチ６３は、取外し可能な簡易泡サーバー本体５のサーキットボード５５１を制御し、サーキットボード５５１は、エアポンプノズル３０と超音波振動子５５２を同時に動作させる。これにより、エアポンプ３０は、第１収容腔１０に空気を供給し、排気スイッチ８１がオフされ、収容容器９０内のビールは、圧力で押し出され、取外し可能な簡易泡サーバー本体５を通過する際に超音波振動子５５２によって豊かな泡を発生させる。ビールの泡は、泡分流モジュール４の泡送出口４３から出て、泡送出ノズル２３を経由してビール機の外部に流れる。使用者はカップを台座９８に置くだけで済む。本考案は使用便利である。
【００２７】
また、本考案において、取外し可能な簡易泡サーバー本体５は、取り外して個別に使用可能であり、使用者が外出する時、取外し可能な簡易泡サーバー本体５を取り外すだけでよい。本考案は、収容容器９０を自動的に且つ速やかに固定するために、固定ユニット５６は、可動ムーブバックル５７とビール送出管座５４１に設けられた二つの固定バックル５７１を含む。ムーブバックル５７は、台座５３における第１貫通孔５３０から離れた側面に設けられている。ムーブバックル５７は、バックル本体５７２、バックル本体５７２に設けられたバックルスプリング５７３、バックル本体５７２の両側に設けられたムーブバックル５７を制御するための第六ボタン５７４と第七ボタン５７５及び固定ユニット５６の緩みを防止するためのバックルフラット５７０を含む。２つの固定バックル５７１は、ビール送出管座５４１においてムーブバックル５７に対応して設けられ、収容容器９０を固定する。バックルフラット５７０は、台座５３内の固定ユニット５６の上方に設けられている。バックル本体５７２は、収容容器９０を引っかける。図１７は、本考案における取外し可能な簡易泡サーバー本体５を取り外して個別に使用する時の構造を示す模式図である。第六ボタン５７４と第七ボタン５７５が押されると、第六ボタン５７４と第七ボタン５７５は、バックル本体５７２を押してバックル本体５７２を取外し可能な簡易泡サーバー本体５の液体送出口５２の側に移動させる。この時、収容容器９０をビール送出部材５４内に挿入し、シリコーンパッキン５４２に挿入して、第六ボタン５７４と第七ボタン５７５を緩めることで、バックルスプリング５７３が元の状態に戻される。バックル本体５７２は、取外し可能な簡易泡サーバー本体の液体出口５２に移動して収容容器９０を引っかけると同時に、ムーブバックル５７に対応して設けられた二つの固定バックル５７１も収容容器９０を同時に引っかけられることによって収容容器９０が固定される。
【図１】
0003205761.tif 000003
【図２】
0003205761.tif 000004
【図３】
0003205761.tif 000005
【図４】
0003205761.tif 000006
【図５】
0003205761.tif 000007
【図６】
0003205761.tif 000008
【図７】
0003205761.tif 000009
【図８】
0003205761.tif 000010
【図９】
0003205761.tif 000011
【図１０】
0003205761.tif 000012
【図１１】
0003205761.tif 000013
【図１２】
0003205761.tif 000014
【図１３】
0003205761.tif 000015
【図１４】
0003205761.tif 000016
【図１５】
0003205761.tif 000017
【図１６】
0003205761.tif 000018
【図１７】
0003205761.tif 000019